(57)【要約】ブラシ体からマスカラ液を排出して睫毛をカールするためのブラシとしてシリコン系ブラシを設け、睫毛の化粧の際に傷害からの安全性を図るのはもとより、マスカラ液を睫毛の一本一本に対して均一に塗布し且つ睫毛を一様に巻き上げることにより、奇麗に美しく睫毛のメイクアップを行うことができる、シリコン系マスカラブラシに関する。これを実現するために、本発明は、マスカラ本体（１０）の下部に螺合されて空回転するダイヤルつまみ（１２）と、前記ダイヤルつまみ（１２）によって上昇するピストン（１３）と、前記ピストンによってマスカラ液が上昇するともに、マスカラ液が収容されるマスカラ貯留容器（１４）と、前記マスカラ貯留容器（１４）の開口部の入口に結合する開閉バルブ（１５）と、開口部の外周縁部に着脱可能に設けられるショルダー部材（１６）とを含むマスカラにおいて、前記ショルダー部材（１６）の中央に対して着脱されるシリコン系ブラシ部（１７）と、前記シリコン系ブラシ（１７）の中空に設けられ、マスカラ液が移動できるようにするマスカラ中央路（１７ａ）と、前記マスカラ中央路（１７ａ）の外周縁部に設けられ、マスカラ液が多数の方向に排出できるように多数の排出孔（１７ｂ）を有するブラシ毛（１７ｃ）とを含んでなることを特徴とする。
2015534468.tif 000002
【特許請求の範囲】
【請求項１】
マスカラ本体（１０）の下部に螺合されて空回転するダイヤルつまみ（１２）と、前記ダイヤルつまみ（１２）によって上昇するピストン（１３）と、前記ピストンによってマスカラ液が上昇するともにマスカラ液が収容されるマスカラ貯留容器（１４）と、前記マスカラ貯留容器（１４）の開口部の入口に結合する開閉バルブ（１５）と、開口部の外周縁部に着脱可能に設けられるショルダー部材（１６）とを含むマスカラにおいて、
前記ショルダー部材（１６）の中央に対して着脱されるシリコン系ブラシ部（１７）と、前記シリコン系ブラシ（１７）の中空に設けられ、マスカラ液が移動できるようにするマスカラ中央路（１７ａ）と、前記マスカラ中央路（１７ａ）の外周縁部に設けられ、マスカラ液が多数の方向に排出できるように多数の排出孔（１７ｂ）を有するブラシ毛（１７ｃ）とからなることを特徴とする、シリコン系マスカラブラシ。
【請求項２】
前記シリコン系ブラシ（１７）は、熱硬化ゴムまたは液状シリコンゴムおよびエラストマーの中から選ばれるいずれかひとつの素材からなることを特徴とする、請求項１に記載のシリコン系マスカラブラシ。
【発明の詳細な説明】
【技術分野】
【０００１】
本発明は、シリコン系マスカラブラシに係り、特に、ブラシ体からマスカラ液を排出して睫毛をカールするためのブラシとしてシリコン系ブラシを設け、睫毛の化粧の際に傷害からの安全性を図るのはもとより、マスカラ液を睫毛の一本一本に対して均一に塗布し且つ睫毛を一様に巻き上げることにより、奇麗に美しく睫毛のメイクアップを行うことができるシリコン系マスカラブラシに関する。
【背景技術】
【０００２】
マスカラは、女性達が使用する化粧品の一種であり、特に目を引き立てるために睫毛に様々な色相のマスカラ液を塗るのに使用するものであって、一般に、マスカラ液が貯留される容器と、前記容器を開閉するための取っ手と、前記取っ手の下部に突設される棒状のブラシ棒と、前記ブラシ棒に設けられるブラシ毛とを含んでなり、前記取っ手と容器との結合または分離によって前記ブラシ毛にマスカラ液を付けて使用している。
【０００３】
特に、上述したように構成されたマスカラブラシは、毛の長さおよび形態に応じて、睫毛に対するボリューム効果（Ｖｏｌｕｍｅ：豊かな睫毛を演出する効果）、カール効果（Ｃｕｒｌ：睫毛の毛先を巻き上げる効果）、ロングラッシュ効果（Ｌｏｎg Ｌａｓｈ：睫毛の長さが長く見えるようにする効果）、クリーン効果（Ｃｌｅａｎ：睫毛同士がくっ付かないようにする効果）などの様々な機能に合わせて製作されている。
【０００４】
一般に使用される従来のマスカラブラシは、通常、一定の長さを有する複数のブラシ毛を２本のワイヤーの間に挟んで螺子線状に一定の回数撚り、その断面が中央のワイヤー軸を基準に円形、三角形または扇形などの様々な形状を持つように製作され、前記ブラシの断面形状に対してそれぞれボリューム効果、カール効果、ロングラッシュ効果およびクリーン効果を得ることができる。
【０００５】
次に、従来のマスカラブラシの一例を図１に基づいて説明する。マスカラ本体１の下部に螺合されて空回転するダイヤルつまみ２と、前記ダイヤルつまみ２によって上昇するピストン３と、前記ピストンによってマスカラ液が上昇するともに、マスカラ液が収容されるマスカラ貯留容器４と、前記マスカラ貯留容器４の上端部の開口部に対して着脱可能に設けられるブラシ体５と、前記ブラシ体５の内部の下端部に設けられ、マスカラ液を排出し或いはマスカラ液の排出を遮断するための開閉バルブ６と、前記ブラシ体５の上側端部に設けられ、多数の排出口７に連結されてマスカラ液を排出するくし状ブラシ部８とを含んで構成できる。
【０００６】
上述のように構成された従来のマスカラブラシの作用を説明すると、まず、一方の手でマスカラ貯留容器４を把持し、もう一方の手でダイヤルつまみ２を特定の方向に回転させる。前記ダイヤルつまみ２が回転するにつれて、ダイヤルつまみ２の内側に位置するピストン３が螺旋に沿って上昇する。前記ピストン３が上昇すると、密閉されたマスカラ貯留容器４に収容されたマスカラ液は、加圧が形成されることにより、ブラシ体５の下端部に設けられた開閉バルブ６を開放させ、開放された開閉バルブ６を介してブラシ体５のくし状ブラシ部８へ、マスカラ液が排出される。そして、排出されたマスカラ液を睫毛に塗ってカールを与える。
【０００７】
ところが、このようにくし状ブラシ部８にマスカラ液が排出された状態で睫毛をカールする場合、くし状ブラシ部８の材質が硬いため、睫毛の化粧の際にくし状ブラシ部に眼が刺されて傷害を被るおそれがあるという欠点と、睫毛がくし状ブラシ部に絡まれて抜き取られてしまうという問題点を有する。
【発明の概要】
【発明が解決しようとする課題】
【０００８】
本発明は、上述したような問題点を解決するために案出されたもので、その目的は、ブラシ体からマスカラ液を排出して睫毛をカールするためのブラシとしてシリコン系ブラシを設け、睫毛の化粧の際に傷害からの安全性を図るのはもとより、マスカラ液を睫毛の一本一本に対して均一に塗布し且つ睫毛を一様に巻き上げることにより、奇麗に美しく睫毛のメイクアップを行うことができることを目的とする。 
【課題を解決するための手段】
【０００９】
上記目的を達成するための本発明は、マスカラ本体１０の下部に螺合されて空回転するダイヤルつまみ１２と、前記ダイヤルつまみ１２によって上昇するピストン１３と、前記ピストンによってマスカラ液が上昇するともに、マスカラ液が収容されるマスカラ貯留容器１４と、前記マスカラ貯留容器１４の開口部の入口に結合する開閉バルブ１５と、開口部の外周縁部に着脱可能に設けられるショルダー部材１６とを含むマスカラにおいて、
前記ショルダー部材１６の中央に対して着脱可能に設けられるシリコン系ブラシ部１７と、前記シリコン系ブラシ１７の中空に設けられ、マスカラ液が移動できるようにするマスカラ中央路１７ａと、前記マスカラ中央路１７ａの外周縁部に設けられ、マスカラ液が多数の方向に排出できるように多数の排出孔１７ｂを有するブラシ毛１７Cとを含んでなることを特徴とする。
【発明の効果】
【００１０】
本発明によれば、マスカラ液を排出して睫毛をカールするためのブラシとしてシリコン系ブラシを設け、睫毛の化粧の際に傷害からの安全性を図るのはもとより、マスカラ液を睫毛の一本一本に対して均一に塗布し且つ睫毛を一様にカールすることにより、奇麗に美しく睫毛のメイクアップを行うことができるという効果がある。
【図面の簡単な説明】
【００１１】
【図１】従来のマスカラ本体の断面図である。
【図２】本発明のマスカラ本体の断面図である。
【図３】図２のａ部分の拡大図である。
【図４】本発明の要部であるブラシの拡大図である。
【発明を実施するための形態】
【００１２】
以下に添付図面を参照しながら、本発明を詳細に説明する。
図２に示すように、マスカラ本体１０の下部には、内周縁部に螺旋が形成されたダイヤルつまみ１２が設けられている。前記ダイヤルつまみ１２の内周縁部に形成された螺旋には、外周縁部に螺旋が形成されたピストン１３が結合し、前記ピストン１３の上側端部は、マスカラ液が収容されたマスカラ貯留容器１４の内周縁部に結合している。
【００１３】
前記マスカラ貯留容器１４の開口部の入り口には、マスカラ貯留容器１４からマスカラ液を排出するときに開放され、マスカラ液の排出を停止するときに遮断される開閉バルブ１５が配置され、開口部の外周縁部にはショルダー部材１６が着脱可能に設けられている。
【００１４】
前記ショルダー部材１６の中央に対して着脱されるシリコン系ブラシ１７の中空には、マスカラ液が移動するマスカラ中央路１７ａが設けられ、マスカラ中央路１７ａの外周縁部には、マスカラ液が多数の方向に排出できるように多数の排出孔１７ｂを有する多数のブラシ毛１７ｃが設けられている。
【００１５】
前記シリコン系ブラシ１７は、熱硬化ゴムまたは液状シリコンゴムおよびエラストマーの中からいずれかひとつを選択できる。
【００１６】
前記多数のブラシ毛１７ｃは放射状に配置されている。
【００１７】
上述したように構成された本発明の作用は、次のとおりである。
一方の手でマスカラ貯留容器１４を把持し、他方の手でダイヤルつまみ１２を特定の方向に回転させる。前記ダイヤルつまみ１２が回転するにつれて、ダイヤルつまみ１２の内側に位置するピストン１３が螺旋に沿って上昇する。この際、ダイヤルつまみ１２は空回転をする。
【００１８】
上述したようにピストン１３が上昇すると、密閉されたマスカラ貯留容器１４に収容されたマスカラ液は、加圧が形成されることにより、図３および図４に示すように、シリコン系ブラシ１７の内部の下端部に設けられた開閉バルブ１５を開放させる。このマスカラ液は、開放された開閉バルブ１５を介してシリコン系ブラシ１７の中空のマスカラ中央路１７ａに沿って移動し、マスカラ中央路１７ａの外周縁部に設けられた多数のブラシ毛１７ｃの排出孔１７ｂへ排出される。排出されたマスカラ液を睫毛に塗ってカールをつける。
【符号の説明】
【００１９】
１０    マスカラ本体
１２    ダイヤルつまみ
１３    ピストン
１４    マスカラ貯留容器
１５    開閉バルブ部
１６    ショルダー部材
１７    シリコン系ブラシ
１７ａ    マスカラ中央路
１７ｂ    排出孔
１７ｃ    ブラシ毛
【図１】
2015534468.tif 000003
【図２】
2015534468.tif 000004
【図３】
2015534468.tif 000005
【図４】
2015534468.tif 000006
【国際調査報告】
2015534468.tif 000007
2015534468.tif 000008
2015534468.tif 000009
2015534468.tif 000010